(57)【要約】【課題】人間の体を活性化させる生体活性材、アーチをしっかり支えることができると共に足の疲労を軽減する履物用中敷及び履物用中敷の製造方法を提供する。【解決手段】足のかかとからの荷重を受けるかかと領域と、足のアーチ形状に相応するアーチ領域とを有する履物用中敷において、かかと領域に緩衝体を有すると共にアーチ領域に伸縮可能なアーチ支持部が形成された支持層と、支持層上に積層されていると共に、火山石、ゲルマニウム及び麦飯石を含有するミネラル組成物が混入された弾性体で構成された弾性層と、弾性層上に積層されていると共に、火山石、ゲルマニウム及び麦飯石を含有するミネラル組成物が混入された所定の形状の基体で構成された生体活性材層とを備えたことを特徴とする履物用中敷。【選択図】図１
2007181651.tif 000002
【特許請求の範囲】
【請求項１】
所定の形状を有する基体を備えた生体活性材において、
火山石、ゲルマニウム及び麦飯石を含有するミネラル組成物が前記基体に混入された
ことを特徴とする生体活性材。
【請求項２】
足のかかとからの荷重を受けるかかと領域と、足のアーチ形状に相応するアーチ領域とを有する履物用中敷において、
前記かかと領域に緩衝体を有すると共に前記アーチ領域に伸縮可能なアーチ支持部が形成された支持層と、
該支持層上に積層されていると共に、火山石、ゲルマニウム及び麦飯石を含有するミネラル組成物が混入された弾性体で構成された弾性層と、
該弾性層上に積層されていると共に、火山石、ゲルマニウム及び麦飯石を含有するミネラル組成物が混入された所定の形状の基体で構成された生体活性材層とを備えた
ことを特徴とする履物用中敷。
【請求項３】
前記弾性体に混入されたミネラル組成物は、ミネラル組成物全量基準で、火山石８５質量％、ゲルマニウム５質量％、麦飯石５質量％、マイナスイオン発生材料５質量％を含有し、
前記弾性層は、弾性層全量基準で、前記ミネラル組成物１１．９７質量％、エチレンビニルアセテート６５．８３質量％、高密度ポリエチレン１５．５６質量％、発泡剤５．９８質量％、架橋剤０．６６質量％を含有した
ことを特徴とする請求項２に記載の履物用中敷。
【請求項４】
前記基体にアクリルバインダー及びウレタンバインダーが混入され、
該アクリルバインダー及びウレタンバインダー１ｋｇあたり２〜５０質量％の前記ミネラル組成物が前記基体に混入された
ことを特徴とする請求項２または請求項３に記載の履物用中敷。
【請求項５】
足のかかとからの荷重を受けるかかと領域と、足のアーチ形状に相応するアーチ領域とを有する履物用中敷の製造方法において、
前記かかと領域に緩衝体を設けると共に前記アーチ領域に伸縮可能なアーチ支持部を形成して支持層を成型する工程と、
火山石、ゲルマニウム及び麦飯石を含有するミネラル組成物を弾性体に混入して弾性層を成型する工程と、
火山石、ゲルマニウム及び麦飯石を含有するミネラル組成物を所定の形状の基体に混入して生体活性材層を成型する工程と、
前記支持層上に前記弾性層を積層し、前記弾性層上に前記生体活性材層を積層する工程とを有する
ことを特徴とする履物用中敷の製造方法。
【請求項６】
前記弾性体に混入されたミネラル組成物は、ミネラル組成物全量基準で、火山石８５質量％、ゲルマニウム５質量％、麦飯石５質量％、マイナスイオン発生材料５質量％を含有し、
前記弾性層は、弾性層全量基準で、前記ミネラル組成物１１．９７質量％、エチレンビニルアセテート６５．８３質量％、高密度ポリエチレン樹脂１５．５６質量％、発泡剤５．９８質量％、架橋剤０．６６質量％を含有した
ことを特徴とする請求項５に記載の履物用中敷の製造方法。
【請求項７】
前記生体活性層を成型する工程が、前記基体にアクリルバインダー及びウレタンバインダーを混入し、該アクリルバインダー及びウレタンバインダー１ｋｇあたり２〜５０質量％の前記ミネラル組成物を前記基体に混入する工程と、
前記基体を８０〜１８０℃で乾燥させた後、５〜５００ｋｇの重さで前記基体を圧着する工程とを有する
ことを特徴とする請求項５または請求項６に記載の履物用中敷の製造方法。
【発明の詳細な説明】
【技術分野】
【０００１】
本発明は生体活性材、履物用中敷及び履物用中敷の製造方法に関する。詳しくは、体に接触させて血液の循環等を良くする生体活性材、そして生体活性材を用いた履物用中敷及び履物用中敷の製造方法に係るものである。
【背景技術】
【０００２】
一般的に足は、我々の体全体の１／４に該当する５２個の骨と６０個の関節、２１４個の靭帯、３８個の筋肉をはじめ、数多い血管で構成されており、立っているときは体重の８０％の重さを支えており、歩いているときは体重の３倍の重さを支えており、走るときには体重の７倍の重さを支えることになる。
【０００３】
また、このように大事な足にはアーチ（足弓）があって、体の荷重を効率的に分散させ、体を保護する役割を果たしているが、アーチの力が弱くなりアーチが落ちてしまうと、歩くたびに感じるストレスがそのまま骨に伝わることにより、足がすぐに疲れることになる。
従って、足に均衝感を与えるためには、アーチを安定的に支えることができると共に、個々人のアーチ形状に相応しい履物が必要となり、履物の中敷がその機能を果たすことになる。
【０００４】
しかし、履物の中敷は通常、アメリカ合衆国の国民のサイズを基準にアーチ部分が形成されており、東洋人の足には相応しくないため足の疲労やストレスを解消することができない状況である。そこで、足の疲労等を軽減させるため、様々な履物の中敷が提案されている（例えば、特許文献１及び特許文献２参照。）。特許文献１には、ゲルマニウム、加熱することにより遠赤外線を放射するセラミックス及び固着剤を含有した組成物の塗膜を少なくとも一部に設けた靴の中敷が記載されており、また特許文献２には、塩化ビニル等からなる平滑面を有する透明な合成樹脂部材から構成され、合成樹脂部材の上には吸盤が着脱自在に取り付けられ、吸盤の上部には足裏のつぼを刺激する球形の刺激部材が取り付けられた履物用中敷が記載されている。
【０００５】
【特許文献１】特開平５−３０９１３８号公報
【特許文献２】特開２００５−１４３７７９号公報
【発明の開示】
【発明が解決しようとする課題】
【０００６】
しかしながら、従来の中敷は、マイナスイオン等を発し鎮痛効果や消炎効果を有するゲルマニウムを使用して疲れを軽減しているが、足裏等皮の厚い部分からマイナスイオン等を体に吸収させるために充分な量のマイナスイオンが発せられず、また指圧等の付随的な目的だけに重点を置いており、更に、アーチ部分の形態が固定されるため、軽質のモールドを形成し、足のアーチを支えても中敷のアーチ部分に荷重が発生した場合、弾性力が無くなりアーチ支持部分が崩れ、順機能を失ってしまう。
【０００７】
本発明は、以上の点に鑑みて創案されたものであり、人間の体を活性化させる生体活性材、アーチをしっかり支えることができると共に足の疲労を軽減する履物用中敷及び履物用中敷の製造方法を提供することを目的とする。
【課題を解決するための手段】
【０００８】
上記の目的を達成するために、本発明の生体活性材は、所定の形状を有する基体を備えた生体活性材において、火山石、ゲルマニウム及び麦飯石を含有するミネラル組成物が前記基体に混入されたことを特徴とする。
【０００９】
ここで、火山石、ゲルマニウム及び麦飯石を含有するミネラル組成物により、臭いを除去し、細菌の成長を抑制させ、血液循環を良好にすることができる。
【００１０】
また、上記の目的を達成するために、本発明の履物用中敷は、足のかかとからの荷重を受けるかかと領域と、足のアーチ形状に相応するアーチ領域とを有する履物用中敷において、前記かかと領域に緩衝体を有すると共に前記アーチ領域に伸縮可能なアーチ支持部が形成された支持層と、該支持層上に積層されていると共に、火山石、ゲルマニウム及び麦飯石を含有するミネラル組成物が混入された弾性体で構成された弾性層と、該弾性層上に積層されていると共に、火山石、ゲルマニウム及び麦飯石を含有するミネラル組成物が混入された所定の形状の基体で構成された生体活性材層とを備えたことを特徴とする。
【００１１】
ここで、アーチ形状に相応するアーチ領域に形成された伸縮可能なアーチ支持部によって、スプリングのように足を弾力的に支えることができると共に、足のサイズの増加率に対して縦横がそれぞれ増減できる。また、火山石、ゲルマニウム及び麦飯石を含有するミネラル組成物により、足の臭いを除去し、細菌の成長抑制による水虫及び湿疹等の疾患を予防し、そして血液循環を良好にする。
【００１２】
また、上記の目的を達成するために、本発明の履物用中敷の製造方法は、足のかかとからの荷重を受けるかかと領域と、足のアーチ形状に相応するアーチ領域とを有する履物用中敷の製造方法において、前記かかと領域に緩衝体を設けると共に前記アーチ領域に伸縮可能なアーチ支持部を形成して支持層を成型する工程と、火山石、ゲルマニウム及び麦飯石を含有するミネラル組成物を弾性体に混入して弾性層を成型する工程と、火山石、ゲルマニウム及び麦飯石を含有するミネラル組成物を所定の形状の基体に混入して生体活性材層を成型する工程と、前記支持層上に前記弾性層を積層し、前記弾性層上に前記生体活性材層を積層する工程とを有することを特徴とする。
【００１３】
ここで、アーチ支持部を形成して支持層を成型する工程によって、スプリングのように足を弾力的に支えることができると共に、足のサイズの増加率に対して縦横がそれぞれ増減できる履物用中敷を製造できる。また、火山石、ゲルマニウム及び麦飯石を含有するミネラル組成物を弾性体に混入して弾性層を成型する工程や、火山石、ゲルマニウム及び麦飯石を含有するミネラル組成物を所定の形状の基体に混入して生体活性材層を成型する工程によって、足の臭いを除去し、細菌の成長抑制による水虫及び湿疹等の疾患を予防し、そして血液循環を良好にする。
【発明の効果】
【００１４】
本発明に係る生体活性材は、人間の体を活性化させることができる。
本発明に係る履物用中敷は、アーチをしっかり支えることができると共に足の疲労を軽減することができる。
本発明に係る履物用中敷の製造方法は、アーチをしっかり支えることができると共に足の疲労を軽減することができる履物用中敷を製造できる。
【発明を実施するための最良の形態】
【００１５】
本発明の履物用中敷は、足のかかと領域にエアーバッグ（緩衝体の一例である。）が形成され、アーチ領域には足のサイズの増加率に対して、横が約０．８ｍｍ、縦が約３ｍｍずつ増減するように形成されたアーチ支持部が形成された、ナイロン１００％材質の支持モールド（支持層の一例である。）と、火山石、ゲルマニウム、麦飯石、マイナスイオン発生材料（例えばトルマリンパウダー）で組成された天然ミネラル（ミネラル組成物）が配合されたエチレンビニルアセテート（ＥＶＡ）スポンジ層（弾性層の一例である。）と、火山石、ゲルマニウム、麦飯石、マイナスイオン発生材料（例えばトルマリンパウダー）で組成された天然ミネラルとアクリルバインダー及びウレタンバインダーが混合されそして塗布された織物生地（生体活性材層の一例である。）が、順次的に適した層に接着される。
【００１６】
また、ＥＶＡスポンジ層のミネラル組成物は、ミネラル組成物全量基準で、火山石８５質量％、ゲルマニウム５質量％、麦飯石５質量％、マイナスイオン発生材料５質量％で組成され、ＥＶＡスポンジ層は、ミネラル組成物１１．９７質量％、エチレンビニルアセテート６５．８３質量％、高密度ポリエチレン樹脂１５．５６質量％、発泡剤５．９８質量％、架橋剤０．６６質量％で組成されている。
また、織物生地には、アクリルバインダーとウレタンバインダー１ｋｇあたりミネラル組成物が２〜５０質量％添加されている。
【００１７】
また、織物生地は、火山石、ゲルマニウム、麦飯石、マイナスイオン発生材料で組成された天然ミネラルとアクリルバインダー及びウレタンバインダーが混合されそして塗布された後、１６００℃以上で焼成して得られ、アルパリウムと呼ばれる素材であり、マイナスイオンと遠赤外線を効果的に取り込んだものである。また、織物生地の天然ミネラルには抽出された３０余りの元素が含まれ、Ｎａ、Ｍｇ、Ｈ２ＳｉＯ３（珪酸塩）が９０％以上含まれている。このアルパリウムを使用した中敷は、電子運動を促進し、細胞を活性化することによって大きな消臭効果を有し、マイナスイオンの力で全身のバランスを足裏から調整する。
【００１８】
ここで、本発明の生体活性材をサンダルの履物用中敷に使用しているが、必ずしも中敷に使用しなくてもよく、例えば被服、サンダルのアッパー部、靴、バッグ、ソファー、カーテン、じゅうたん等の家具類や飾り物に使用してもよい。
【００１９】
また、本発明の履物用中敷の製造方法は、７０℃で２４時間熟成させたナイロン１００％の支持モールドに足のアーチ形状に相応しいアーチ支持部を形成するが、アーチ支持部は足のサイズの増加率に対して、横が約０．８ｍｍ、縦が３ｍｍずつ増減するように形成される支持モールドの成型工程と、ミネラル組成物全量基準で火山石８５質量％、ゲルマニウム５質量％、麦飯石５質量％、マイナスイオン発生材料（例えばトルマリンパウダー）５質量％を含有するミネラル組成物を用いて、ＥＶＡスポンジ層全量基準で、ミネラル組成物１１．９７質量％、エチレンビニルアセテート６５．８３質量％、高密度ポリエチレン樹脂１５．５６質量％、発泡剤５．９８質量％、架橋剤０．６６質量％を含有するＥＶＡスポンジ層の成型工程と、織物生地に、アクリルバインダーとウレタンバインダーを混入し、アクリルバインダーとウレタンバインダー１ｋｇに対して火山石、ゲルマニウム及び麦飯石を含有するミネラル組成物２〜５０質量％を添加し、８０〜１８０℃で乾燥させた後、５〜５００ｋｇの重さで圧着する織物生地の成型工程と、支持モールド上にＥＶＡスポンジ層を積層し、ＥＶＡスポンジ層上に織物生地を積層して接着する工程とを有する。
【００２０】
ここで、生体活性材の基体として織物生地を例に挙げて説明しているが、ミネラル組成物を混入できるものであれば必ずしも織物生地でなくてもよく、例えば牛革生地、合成皮革生地、不織布生地等を基体としてもよい。
【００２１】
以下、本発明の実施の形態について図面を参照しながら説明し、本発明の理解に供する。図１は、本発明の履物用中敷全体を説明する斜視図であり、図２は、本発明の履物用中敷全体を説明する断面図であり、図３は、本発明の履物用中敷の結合状態を示した状態図であり、図４は、本発明の履物用中敷のアーチ支持部を示した状態図であり、そして図５は、本発明の履物用中敷の使用状態を示した状態図である。
【００２２】
ここで、支持モールド１０は、人体の運動力学の原理を利用し、理想的な足の形、足の骨、及び筋肉の羅列を造形化するためのもので、足のアーチ部分に相応しい一面ではアーチ支持部１１を形成し、足のかかとに相応しい他の面ではエアーバッグ（緩衝体の一例である。）４０が挿入される挿入穴１２を形成するが、ナイロン１００％を７０℃で２４時間熟成させ形成する。
【００２３】
また、支持モールド１０を、２５０ｍｍの大きさの履物の中敷に適用する場合、支持モールド１０の横は１５０ｍｍ、縦は６１ｍｍで設定し、アーチ支持部１１は横３２ｍｍ、縦９５ｍｍの円柱にするが、アーチの最高高さは１６．４４ｍｍ、中央基点の最低高さは４．５５ｍｍ、ラウンド部分は３ｍｍに設定する。
【００２４】
それから、足の大きさが増大されると、支持モールド１０の横を５ｍｍずつ、縦を２ｍｍずつ増加させ、同時にアーチ支持部１１の大きさも横を０．８ｍｍ（足の大きさサイズ別に０．０３１６％）、縦を３ｍｍ（足のサイズ別に０．０２５％）ずつ増加させるが、アーチ支持部１１の横は支持モールド１０の大きさ増加率（横）に対して０．１６倍増加し、縦は支持モールド１０の大きさ増加率（縦）に対して１．５倍増加する。
このような増加比率で形成されるアーチ支持部１１はサイズ増加率によって最適な曲率を保ちながら、身体の荷重を足裏全体に分布させ、構造的な弾性による運動ができるようにする。
【００２５】
また、ＥＶＡスポンジ層２０は、ＥＶＡスポンジ層全量基準で、エチレンビニルアセテート６５．８３質量％、高密度ポリエチレン樹脂１５．５６質量％、発泡剤５．９８質量％、架橋剤０．６６質量％と、ミネラル組成物１１．９７質量％とを配合したものを１２５℃で１５分間加熱した後、さらに１５０℃で３０分間プレス成型して完成される。
【００２６】
また、ミネラル組成物は、ミネラル組成物全量基準で火山石８５質量％、ゲルマニウム５質量％、麦飯石５質量％、マイナスイオン発生材料５質量％で組成するが、ミネラル組成物は多量のマイナスイオンと遠赤外線を放出するため、人体に優しい元素で構成されているもので、１６００℃前後で処理し、組成されたものである。
【００２７】
また、織物生地３０はロータリースクリーン印刷機やグラビア印刷機でコーティングするが、アクリルバインダーとウレタンバインダー１ｋｇに対してミネラル組成物（火山石８５質量％、ゲルマニウム５質量％、麦飯石５質量％、マイナスイオン発生材料５質量％）を２〜５０質量％添加し、８０〜１８０℃で乾燥させた後、５〜５００ｋｇの重さで圧着されて得られる。
【００２８】
そして、支持モールド１０、ＥＶＡスポンジ層２０及び織物生地３０が完成されると、支持モールド１０上にＥＶＡスポンジ層２０と織物生地３０を順次的に接着させ一つの履物用中敷１００を完成させる。
【００２９】
このように製造された履物用中敷１００は、図５で図示したように、スプリングのように弾性的に動く作用であるスプリングロード作用によって、アーチ支持部１１が歩くたびに曲がって、衝撃を吸収しながら足に力が戻ってくることを防ぐ。つまり、アーチ支持部１１を解剖学的に設計し、足裏の曲面である横アーチと縦アーチに沿って足の全体を弾力的に支えることができ、アーチをしっかり支えて足のストレスと疲労を和らげてくれるため、長時間の歩行などによる足の圧迫と疲労を軽減させることができる。
【００３０】
更に、ミネラル組成物を含有または塗布されたＥＶＡスポンジ層２０と織物生地３０によって、マイナスイオンと遠赤外線が発散され、抗菌作用によって細菌の成長を抑制し、足の臭いを除去し水虫や湿疹を予防する。また、足の血液循環と血流を改善し細胞を活性化させることで、足の疲労を軽減させ、筋肉の疲労を解消し、痛みを和らげることができる。
【００３１】
このように本発明の履物用中敷では、理想的な足の形と足の骨及び筋肉に相応しい支持モールド上に、ミネラル組成物を含有したＥＶＡスポンジ層や織物生地を積層させることで、支持モールドに形成されたアーチ支持部が東洋人の足の構造に相応しい最適曲率を保ちながら身体の荷重を足裏の全体に分布させ、構造的な弾性によって足を効率的に支えることができるだけでなく、ミネラル組成物によって発散される遠赤外線とマイナスイオンで足の健康を増進させ、足の疲労度とストレスを軽減させることができる。
【図面の簡単な説明】
【００３２】
【図１】本発明の履物用中敷全体を説明する斜視図である。
【図２】本発明の履物用中敷全体を説明する断面図である。
【図３】本発明の履物用中敷の結合状態を示した状態図である。
【図４】本発明の履物用中敷のアーチ支持部を示した状態図である。
【図５】本発明の履物用中敷の使用状態を示した状態図である。
【符号の説明】
【００３３】
１０    支持モールド
１１    アーチ支持部
１２    挿入穴
２０    ＥＶＡスポンジ層
３０    織物生地
４０    エアーバッグ
１００    履物用中敷
【図１】
2007181651.tif 000003
【図２】
2007181651.tif 000004
【図３】
2007181651.tif 000005
【図４】
2007181651.tif 000006
【図５】
2007181651.tif 000007